(57)【特許請求の範囲】
【請求項１】
二以上の耕起用ボトム１がプラウフレーム２の長手方向に離間して並列され、その耕土状態の姿勢にてそのプラウフレーム２がトラクターの進行方向に対して斜めに配置されるプラウにおいて、
そのプラウフレーム２の後部に、その耕起反転側へ突設されたガイドフレーム３と、
そのプラウフレーム２の前部に前端が軸支され、中間部または後端部が前記ガイドフレーム３にその長手方向に移動自在に案内され且つ支持される砕土フレーム４と、
その砕土フレーム４と前記プラウフレーム２またはガイドフレーム３との間に介装されて、その砕土フレーム４を前記ガイドフレーム３に沿ってその先端部の耕起位置と中間部または根元部の非耕起位置とに切り換える切換手段５と、
その砕土フレーム４の後端に両端がその中心のまわりに重力方向へ回動自在となるように軸支された取付フレーム６と、
その取付フレーム６に取付られた砕土体７と、
を具備するプラウの砕土装置。
【請求項２】
請求項１において、前記切換手段５が油圧シリンダよりなるプラウの砕土装置。
【請求項３】
請求項１において、前記切換手段５が手動で行なわれるように構成されたプラウの砕土装置。
【請求項４】
請求項１において、前記砕土フレーム４の前記後端に短い水平揺動体８の一端が前記重力方向に直交する方向へ一定範囲だけ揺動自在に軸支されると共に、その水平揺動体８の他端に前記支持フレーム６の中心が軸支されたプラウの砕土装置。
【請求項５】
請求項１〜請求項４の何れかにおいて、前記プラウフレーム２の上下に夫々二以上の耕起用ボトム１が並列されたリバーシブル型のプラウの砕土装置。
【発明の詳細な説明】
【０００１】
【発明の属する技術分野】
本発明は、複数の耕起用ボトムが並列されたプラウに取付けられて、耕起反転された土塊を、その反転作業に連続して砕土するプラウの砕土装置に関する。
【０００２】
【従来の技術】
本出願人は、既に特許第２５６７８１２号のリバーシブルプラウの砕土装置を提案している。
この砕土装置は、図６に示す如くリバーシブル型プラウに固定されるものであり、砕土フレーム４の前端がプラウフレーム２の前端部に固定されると共に、プラウフレーム２の後端部から水平方向に突設固定された支持フレーム４ｄに砕土フレーム４の中間部が固定される。さらに、砕土フレーム４の軸部11に取付フレーム６の中間部が枢着される。そして、門型に形成された取付フレーム６の脚部６ａに砕土体７の枠７ａが取付けられたものである。
【０００３】
【発明が解決しようとする課題】
この従来型の砕土装置は、砕土フレーム４がプラウフレーム２に対して固定されており、その固定位置はプラウによる耕起反転に続いて砕土が効率良く行える位置にある。
ところが、この砕土装置付きプラウを一体として搬送したり倉庫に収納したりする際に、砕土装置がプラウから側方に大きく突出しているため、占有面積を大きく取りすぎる欠点があった。例えば、比較的狭小な通路等を搬送する際に砕土装置が邪魔になり、取扱いにくい欠点があった。
またこの砕土装置で砕土している際に、それが土中の石等に衝突すると、砕土体７や枠７ａ等を損傷することがあった。
そこで、本発明はこれらの欠点を取り除き、砕土装置の搬送時や格納時に全体をコンパクトにすることができると共に、砕土中に砕土体７が石等に衝突してもその石を避けるように構成されたプラウの砕土装置を提供することを課題とする。
【０００４】
【課題を解決するための手段】
請求項１に記載の本発明は、二以上の耕起用ボトム１がプラウフレーム２の長手方向に離間して並列され、その耕土状態の姿勢にてそのプラウフレーム２がトラクターの進行方向に対して斜めに配置されるプラウにおいて、
そのプラウフレーム２の後部に、その耕起反転側へ突設されたガイドフレーム３と、
そのプラウフレーム２の前部に前端が軸支され、中間部または後端部が前記ガイドフレーム３にその長手方向に移動自在に案内され且つ支持される砕土フレーム４と、
その砕土フレーム４と前記プラウフレーム２またはガイドフレーム３との間に介装されて、その砕土フレーム４を前記ガイドフレーム３に沿ってその先端部の耕起位置と中間部または根元部の非耕起位置とに任意に移動させる切換手段５と、
その砕土フレーム４の後端に両端がその中心のまわりに重力方向へ回動自在となるように軸支された取付フレーム６と、
その取付フレーム６に取付られた砕土体７と、
を具備するプラウの砕土装置である。
また、請求項４に記載の本発明は、上記請求項１の発明において、前記砕土フレーム４の前記後端に短い水平揺動体８の一端が前記重力方向に直交する方向へ一定範囲だけ揺動自在に軸支されると共に、その水平揺動体８の他端に前記支持フレーム６の中心が軸支されたプラウの砕土装置である。
【０００５】
【発明の実施の形態】
次に、図面に基づいて本発明の実施の形態につき説明する。
図１は本発明のプラウの砕土装置の分解斜視図であり、図２はその使用状態を示す平面図、図３は同側面図、図４は同正面図である。
このプラウはいわゆるリバーシブル型のものであり、プラウフレーム２の上下に夫々一対ずつの耕起用ボトム１が合計３対、そのプラウフレーム２の長手方向に互いに離間して配置されている。そしてプラウフレーム２の後端には、ガイドフレーム３の一端が固定されている。ガイドフレーム３は、その先端部と中間部との間にガイド部３ａが形成され、ガイド部３ａの両端に位置決め部材が配置されている。そして、そのガイド部３ａ内に砕土フレーム４の中間部が案内されている。砕土フレーム４の前端は、プラウフレーム２の前端部にピン９を介して回動自在に取付けられている。さらに、砕土フレーム４の前端部には油圧シリンダーよりなる切換手段５のピストンロッド先端が枢着されると共に、その切換手段５のシリンダー後端がプラウフレーム２に枢着されている。
【０００６】
砕土フレーム４の後端には、ブラケット４ａが突設されている。このブラケット４ａは、平面が扇型に形成された箱状を有し、その内部に丸棒材からなる水平揺動体８の前端部がピン10を介して枢着されている。そして、この水平揺動体８は砕土フレーム４内の一定範囲で水平方向に揺動自在に取付けられている。水平揺動体８の後端には軸部11が設けられ、そこに取付フレーム６の上端中央が軸支される。取付フレーム６は門型に形成され、その脚部６ａに砕土体７の枠７ａの両側部が軸支される。砕土体７はこの例では、前部に多数のディスクを並列し、後部にかご型のものが取付られている。なお、砕土体７は前列及び後列共にディスク型のものを用いても、あるいはかご型のものを用いてもよい。
このようにしてなる本発明のプラウの砕土装置は、図２に示す如くトラクター13の後端に上下反転可能に取付けられ、油圧装置からなる切換手段５を制御することにより、砕土フレーム４を実線の状態から鎖線の状態に移動し、それにより砕土状態の位置と収納又は搬送状態の位置とに変化させ、その取扱性を容易にすることができる。
【０００７】
さらに図２において、水平揺動体８は砕土の際に、自由に一定範囲内で揺動することができる。即ち、トラクター13に本装置を牽引して砕土する状態では、砕土体７は実線の位置にあるが、土塊，石等が存在し、砕土体７の一部にそれが衝突すると水平揺動体８がピン10の周りに一定範囲で移動し、その石等を避けて砕土体７の損傷を防止することができる。
そして、圃場で本プラウの砕土装置はトラクター13により圃場の一端から他端まで多数回折り返し運転される。その際に、圃場の一端及び他端でプラウフレーム２が上下反転され、常に耕起方向を一定方向に向けるものである。それにより、圃場を隈なく耕起すると共に、その土塊を砕土することが可能となる。このとき、砕土装置はその砕土体７の自重により常に下側に向けられる。すなわち、プラウフレーム２が上下反転しても常に砕土体７はその自重により水平揺動体８の周りに回転し、地面側に向けられる。
【０００８】
次に、図５は本発明の他の例であり、これが図１のそれと異なる点は、切換手段５が手動で行なわれることである。そのために、砕土フレーム４の両側に突片４ｂを夫々設け、その突片４ｂに係止孔４ｃを穿設すると共に、ガイド部３ａの左右両端に係合孔３ｂ（右端側省略）を穿設したものである。そして、砕土フレーム４をガイド部３ａ内で左右に移動させると共に、その左端の非耕起位置または右端の耕起位置で、互いに整合された係止孔４ｃと係合孔３ｂとにピンまたはボルト14を挿通固定するものである。
【０００９】
【発明の作用・効果】
本発明のプラウの砕土装置は、プラウフレーム２の前部に砕土フレーム４の前端が軸支され、それがガイドフレーム３に案内されて切換手段５により耕起位置と非耕起位置とに任意に移動できるように構成したものである。従って、プラウと一体に砕土装置を収納するとき、あるいは搬送するときに砕土フレーム４をプラウフレーム２に近づけて全体の占有幅を縮小し、コンパクトにすることができる。
また耕起位置においては、耕起用ボトム１により耕起反転された土塊を隈なく砕土し、効率的な砕土作業を行なうことができる。しかも、砕土フレーム４はその前端が軸支され、その中間部又は後端部がガイドフレーム３に案内され且つそれに支持されるから、二箇所に支持されることとなる。そのため、比較的細い砕土フレーム４を用ることができ、全体として軽量で取扱い易いプラウの砕土装置を提供できる。すなわち、砕土フレーム４は中間部等もガイドフレーム３に支持されると共にそれに案内されるから、簡単な構造でその強度が強くなり、全体を軽量化することが可能となる。
【００１０】
次に、請求項４に記載のプラウの砕土装置は、砕土フレーム４の後端に短い水平揺動体８の一端が重力方向に直交する方向へ一定範囲だけ揺動自在に軸支されると共に、その水平揺動体８の他端に取付フレーム６の中心が軸支されたものである。このように構成することにより、砕土中に石等が存在し砕土体７に過大な力が加わっても、それを避けて砕土体７の損傷を防ぐことができる。
【図面の簡単な説明】
【図１】本発明のプラウの砕土装置の分解斜視図。
【図２】本発明のプラウの砕土装置の使用状態を示す平面図。
【図３】同側面図。
【図４】同正面図。
【図５】本発明のプラウの他の砕土装置の要部斜視図。
【図６】従来型プラウの砕土装置の分解斜視図。
【符号の説明】
１  耕起用ボトム
２  プラウフレーム
３  ガイドフレーム
３ａ  ガイド部
３ｂ  係合孔
４  砕土フレーム
４ａ  ブラケット
４ｂ  突片
４ｃ  係止孔
４ｄ  支持フレーム
５  切換手段
６  取付フレーム
６ａ  脚部
７  砕土体
７ａ  枠
８  水平揺動体
９，10  ピン
11  軸部
12  袋ナット
13  トラクター
14  ボルト
【図１】
0003873246.tif 000002
【図２】
0003873246.tif 000003
【図３】
0003873246.tif 000004
【図４】
0003873246.tif 000005
【図５】
0003873246.tif 000006
【図６】
0003873246.tif 000007